(57)【要約】【課題】複数のＳＬＩＣ（加入者回線制御手段）の間で、加入者線信号の生成に係るタイミングを同期させて、リンガ信号出力部の負荷を軽減することができるようにする。【解決手段】本発明に係る同期制御システムは、接続している複数の加入者回線のいずれかに加入者線信号を送出する複数の加入者回線制御手段と、複数の加入者回線制御手段での加入者線信号の生成開始に係る同期信号を、複数の加入者回線制御手段に与える同期制御手段とを備えることを特徴とする。【選択図】      図１
2018207179.tif 000002
【特許請求の範囲】
【請求項１】
接続している複数の加入者回線のいずれかに加入者線信号を送出する複数の加入者回線制御手段と、
上記複数の加入者回線制御手段での上記加入者線信号の生成開始に係る同期信号を、上記複数の加入者回線制御手段に与える同期制御手段と
を備えることを特徴とする同期制御システム。
【請求項２】
上記各加入者回線制御手段にリンガ信号を出力するリンガ信号出力手段を備え、
上記同期制御手段が、上記加入者線信号の生成に係る所定の周期信号を、上記複数の加入者回線制御手段へのクロック信号に重畳させた信号を、上記複数の加入者回線制御手段に与え、
上記各加入者回線制御手段が、上記クロック信号に重畳されている上記周期信号の検出タイミングで、上記加入者線信号の生成を開始する
ことを特徴とする請求項１に記載の同期制御システム。
【請求項３】
上記各加入者線信号が、呼出信号であり、
上記各加入者回線制御手段が、それぞれリンガ鳴動期間を所定時間だけ間隔をおいた複数の生成パタンのそれぞれを逐次更新し、呼出信号を送出する多相制御を行なうものである
ことを特徴とする請求項１又は２に記載の同期制御システム。
【請求項４】
接続している複数の加入者回線のいずれかに加入者線信号を送出する複数の加入者回線制御手段と接続する通信装置において、
上記複数の加入者回線制御手段での上記加入者線信号の生成開始に係る同期信号を、上記複数の加入者回線制御手段に与える同期制御手段
を備えることを特徴とする通信装置。
【請求項５】
１又は複数の他の通信装置との冗長構成に係る処理を行なう冗長制御手段を備え、
上記同期制御手段が、冗長構成をとる上記１又は複数の他の通信装置に対して、複製したセッション情報に係るデータに同期信号を含む信号を与える
ことを特徴とする請求項４に記載の通信装置。
【請求項６】
接続している複数の加入者回線のいずれかに加入者線信号を送出する複数の加入者回線制御手段と接続する通信プログラムにおいて、
コンピュータを、
上記複数の加入者回線制御手段での上記加入者線信号の生成開始に係る同期信号を、上記複数の加入者回線制御手段に与える同期制御手段として機能させることを特徴とする同期制御プログラム。
【発明の詳細な説明】
【技術分野】
【０００１】
この発明は、同期制御システム、通信装置及び通信プログラムに関し、少なくとも複数の加入者回線と接続する通信装置に適用し得るものである。
【背景技術】
【０００２】
例えば、加入者回線とＩＰネットワークとの間に介在して、音声データを中継するＶｏＩＰゲートウェイ装置は、収容している電話端末に着信があった場合、１秒間のリンガ鳴動期間と２秒間のリンガ鳴動停止期間とを１周期とする呼出信号（ＩＲ）を、着信先に周期的に送出している（特許文献１、２参照）。
【０００３】
図２を用いて、ＶｏＩＰゲートウェイ装置における呼出信号の送出処理を簡単に説明する。なお、図２は、冗長構成を備えるＶｏＩＰゲートウェイ装置９を示している。
【０００４】
図２に示すように、従来のＶｏＩＰゲートウェイ装置９において着信があると、制御部３０は、着信先の電話端末の属するＳＬＩＣ９０（９０−１〜９０−Ｎ）に搭載されている切替制御部（ファームウェア）９１に呼出信号の送出指示（ＩＲ送出指示）を出す（Ｓ９１）。
【０００５】
リンガを鳴動させるため、音声通信制御部１０Ａ（又は１０Ｓ）に搭載されているリンガ信号出力部（リンガモジュール）１１Ａ（又は１１Ｓ）は、複数のＳＬＩＣ９０−１〜９０−Ｎと繋がっており、各ＳＬＩＣ９０−１〜９０−Ｎにリンガ信号（ＣＲ）を送出する（Ｓ９２）。
【０００６】
ＩＲ送出指示を受けたＳＬＩＣ９０の切替制御部９１は、着信先に呼出信号を連続送出するため、着信先の加入者回線５と接続する切替部２３をリレー制御して、加入者回線５との接点を周期的に切り替える（Ｓ９３）。
【０００７】
なお、一般的に、切替制御部９１が、切替部２３をリレー制御して、加入者回線５との接点を「接」とすること（すなわち、リンガ鳴動の生成）をｍａｋｅと呼び、加入者回線５との接点を「断」とすること（すなわち、リンガ鳴動停止）をｂｒｅａｋと呼ぶ。
【０００８】
ところで、リンガ信号出力部１１Ａ（１１Ｓ）は、電話端末２に対して、１対多の関係にある。リンガ信号出力部１１Ａ（１１Ｓ）からＳＬＩＣ９０に供給されるリンガに係る電力は一定であるので、多数の電話端末２に着信があった場合には、一回線毎に供給される電力が小さくなり得る。
【０００９】
従って、リンガ鳴動のために必要な電力が下回り、リンガを鳴動できなくなるおそれがある。また、多数の電話端末２へのリンガ鳴動毎に、切替制御部９１がｍａｋｅすると、リンガ信号出力部１１Ａ（１１Ｓ）に負荷がかかり、リンガ信号出力部１１Ａ（１１Ｓ）が故障するおそれもある。
【００１０】
そのため、切替制御部９１は、ｍａｋｅ生成タイミングを３パタン（第１相、第２相、第３相）に分けて制御する（これを、「３相制御」と呼ぶ。）。つまり、図３に示すように、切替制御部９１は、ｍａｋｅ生成タイミングを１秒ずつずらした３個のパタンとし、１秒毎に、現在のパタンから次のパタンに更新していく。そして、切替制御部９１は、ＩＲ送出指示を受信したときのパタンで、ｍａｋｅ、ｂｒｅａｋを生成する。これにより、別々のパタンで呼出音を鳴動させれば、リンガモジュールの負荷は軽減される。
【先行技術文献】
【特許文献】
【００１１】
【特許文献１】特開２００７−２３５８２４号公報
【特許文献２】特開平６−３５０６９９号公報
【発明の概要】
【発明が解決しようとする課題】
【００１２】
しかしながら、複数のＳＬＩＣは、１つの音声通信制御部のリンガ信号出力部を共有しているが、各ＳＬＩＣはそれぞれ別のタイミングで３相制御している。
【００１３】
そのため、複数のＳＬＩＣの間で、３相制御のタイミングがずれると、図４に示すように、各ＳＬＩＣで別の相が用いられ、ｍａｋｅが輻輳してしまう場合がある。この場合、リンガ信号出力部に想定外の負荷がかかり、リンガ信号出力部が故障してしまうおそれがある。
【００１４】
そのため、複数のＳＬＩＣ（加入者回線制御手段）の間で、加入者線信号の生成に係るタイミングを同期させて、リンガ信号出力部の負荷を軽減することができる同期制御システム、通信装置及び通信プログラムが求められている。
【課題を解決するための手段】
【００１５】
かかる課題を解決するために、第１の本発明に係る同期制御システムは、（１）接続している複数の加入者回線のいずれかに加入者線信号を送出する複数の加入者回線制御手段と、（２）複数の加入者回線制御手段での加入者線信号の生成開始に係る同期信号を、複数の加入者回線制御手段に与える同期制御手段とを備えることを特徴とする。
【００１６】
第２の本発明に係る通信装置は、接続している複数の加入者回線のいずれかに加入者線信号を送出する複数の加入者回線制御手段と接続する通信装置において、複数の加入者回線制御手段での加入者線信号の生成開始に係る同期信号を、複数の加入者回線制御手段に与える同期制御手段を備えることを特徴とする。
【００１７】
第３の本発明に係る通信プログラムは、接続している複数の加入者回線のいずれかに加入者線信号を送出する複数の加入者回線制御手段と接続する通信プログラムにおいて、コンピュータを、複数の加入者回線制御手段での加入者線信号の生成開始に係る同期信号を、複数の加入者回線制御手段に与える同期制御手段として機能させることを特徴とする。
【発明の効果】
【００１８】
本発明によれば、複数のＳＬＩＣ（加入者回線制御手段）の間で、加入者線信号の生成に係るタイミングを同期させて、リンガ信号出力部の負荷を軽減することができる。
【図面の簡単な説明】
【００１９】
【図１】実施形態に係る通信システムの構成を示す内部構成図である。
【図２】従来のゲートウエイ装置の内部構成及び呼出信号の生成方法を示す内部構成図である。
【図３】呼出信号の３相制御を説明する説明図である。
【図４】従来の複数のＳＬＩＣの間でｍａｋｅタイミングのずれを説明する説明図である。
【図５】実施形態において、切替制御部が、３相制御による呼出信号のｍａｋｅ生成開始タイミングを示すタイミングチャートである。
【図６】実施形態に係る同期制御処理を示すシーケンス図である。
【発明を実施するための形態】
【００２０】
（Ａ）主たる実施形態
この発明に係る同期制御システム、通信装置及び通信プログラムの実施形態を、図面を参照しながら詳細に説明する。
【００２１】
この実施形態では、複数の加入者電話回線（以下、「加入者回線」と呼ぶ。）及びＩＰネットワークに接続して、収容する電話端末に音声データを中継するＶｏＩＰゲートウェイ装置（以下では、「音声通信制御部」と呼ぶ。）に、本発明を適用する場合を例示する。
【００２２】
（Ａ−１）実施形態の構成
図１は、この実施形態に係る通信システムの構成を示す構成図である。
【００２３】
図１において、この実施形態に係る通信システム１は、制御部３０、音声通信制御部１０Ａ、音声通信制御部１０Ｓ、複数の加入者回線制御部（以下、「ＳＬＩＣ」と呼ぶ。）２０−１〜２０−Ｎ（Ｎは正の整数）を有する。
【００２４】
通信システム１は、複数の加入者回線５とＩＰネットワーク４との間に介在して、音声データの中継を行なう。通信システム１は、音声通信制御部１０Ａ及び１０Ｓを有しており、故障発生時でも運用を継続できるようにするために冗長構成をとっている。ここでは、音声通信制御部１０Ａが運用（ＡＣＴ）系とし、音声通信制御部１０Ｓが待機（ＳＢＹ）系として説明する。
【００２５】
制御部３０は、通信システム１を構成する各構成要素の各種処理を司る装置である。制御部３０は、例えば、ＣＰＵ、ＲＯＭ、ＲＡＭ、ＥＥＰＲＯＭ等を有して構成される。制御部３０は、収容する電話端末２のうちのいずれかに着信があった場合には、その着信先に呼出信号を送出するため、着信先の電話端末２と接続しているＳＬＩＣ２０に対して呼出信号の送出指示（以下、「ＩＲ送出指示」と呼ぶ。）を通知する。
【００２６】
なお、着信先の電話端末２が接続しているＳＬＩＣ２０を特定する方法は、特に限定せず、既存技術を適用することができ、例えば、各電話端末２０の識別番号（例えば、電話番号）と各ＳＬＩＣ２０の識別情報とを対応付けたテーブルを予め設定しておき、呼要求に係る電話番号に基づいて、ＳＬＩＣ２０を特定する方法を適用できる。
【００２７】
音声通信制御部１０Ａ及び１０Ｓは、基本的には、それぞれ同じ処理機能を行なう。例えば、音声通信制御部１０Ａ及び１０Ｓは、呼を確立するための呼制御処理、ＩＰネットワーク４から受信した音声パケット（ＲＴＰパケット）の解析、ＲＴＰパケットに含まれる音声データ（デジタル信号）と音声信号（アナログ信号）との間の相互変換、音声パケット（ＲＴＰパケット）の組立等を行なう。
【００２８】
また、ＡＣＴ系の音声通信制御部１０Ａは、ＳＢＹ系の音声通信制御部１０Ｓに運用を切り替える系切替処理を行なう。この場合、旧ＡＣＴ系が新ＳＢＹ系となり、旧ＳＢＹ系が新ＡＣＴ系となる。系切替処理は、運用者等の指示に基づいて実行するようにしてもよいし、障害検出部（図示しない）による障害検出に基づいて自動的に実行するようにしてもよい。運用を正しく継続するために、ＡＣＴ系の音声通信制御部１０Ａは、ＳＢＹ系の音声通信制御部１０Ｓに対してセッション情報（呼制御情報）を逐次送信しており、ＳＢＹ系の音声通信制御部１０Ｓは、受信したセッション情報（呼制御情報）を記憶する。
【００２９】
図１に示すように、音声通信制御部１０Ａ（１０Ｓ）は、リンガ信号出力部１１Ａ（１１Ｓ）、信号処理部１２Ａ（１２Ｓ）、同期制御部１３Ａ（１３Ｓ）を有する。
【００３０】
リンガ信号出力部１１Ａ（１１Ｓ）は、全てのＳＬＩＣ２０−１〜２０−Ｎと接続しており、全てのＳＬＩＣ２０−１〜２０−Ｎに対してリンガ信号を供給するものである。リンガ信号出力部１１Ａ（１１Ｓ）は、リンガモジュール（リンガ信号発生器）とも呼ばれる。リンガ信号出力部１１Ａ（１１Ｓ）は、各ＳＬＩＣ２０−１〜２０−Ｎと繋がっており、常に所定の電力が各ＳＬＩＣ２０−１〜２０−Ｎに供給している。
【００３１】
信号処理部１２Ａ（１２Ｓ）は、例えばＤＳＰ（Ｄｉｇｉｔａｌ  Ｓｉｇｎａｌ  Ｐｒｏｃｅｓｓｏｒ）等のコンピュータからなり、音声通信処理を行なうために、デジタル信号処理を行なう。すなわち、信号処理部１２Ａ（１２Ｓ）は、音声通信制御部１０Ａ（１０Ｓ）における各種機能を司るものである。
【００３２】
同期制御部１３Ａ（１３Ｓ）は、例えば、ＦＰＧＡ（Ｆｉｅｌｄ−Ｐｒｏｇｒａｍｍａｂｌｅ  Ｇａｔｅ  Ａｒｒａｙ）等の回路からなる。同期制御部１３Ａは、複数のＳＬＩＣ２０−１〜２０−Ｎと接続しており、複数のＳＬＩＣ２０−１〜２０−Ｎに対してクロック信号（例えば、８ｋＨｚ）を送出している。これにより、複数のＳＬＩＣ２０−１〜２０−Ｎの間で同期させることができる。
【００３３】
同期制御部１３Ａ（１３Ｓ）は、他の音声通信制御部との間で冗長に係る処理を行なう冗長制御部１３２を有する。
【００３４】
同期制御部１３Ａ（１３Ｓ）は、３秒間隔の周期性を持つ周期信号を生成する周期信号発生部１３１を有する。そして、複数のＳＬＩＣ２０−１〜２０−Ｎの間で呼出信号の３相制御の同期を図るために、同期制御部１３Ａ（１３Ｓ）は、クロック信号に３秒間隔の周期信号を重畳させた信号を、複数のＳＬＩＣ２０−１〜２０−Ｎの全てに送出する。周期信号は、呼出信号のｍａｋｅ生成開始タイミングを、ＳＬＩＣ２０−１〜２０−Ｎの間で同期させうるための所定時間毎の周期的な信号である。ＳＬＩＣ２０−１〜２０−Ｎの間でｍａｋｅ生成開始タイミングを同期させることができれば、周期信号は、６秒、９秒等のように、３の倍数の信号であってもよい。
【００３５】
このように、周期信号を重畳させたクロック信号がＳＬＩＣ２０−１〜２０−Ｎに送出されることにより、複数のＳＩＬＣ２０−１〜２０−Ｎの間で、呼出信号の３相制御の開始タイミングを同期させることができる。換言すると、各ＳＬＩＣ２０−１〜２０−Ｎは、クロック信号に重畳されている周期信号を検出したタイミングで、呼出信号のｍａｋｅ生成を開始することで、各ＳＬＩＣ２０−１〜２０−Ｎの間でｍａｋｅ生成開始タイミングを同期することができる。
【００３６】
ここで、同期制御部１３Ａ（１３Ｓ）が、クロック信号とは別に、３秒間隔の周期信号を複数のＳＬＩＣ２０−１〜２０−Ｎに送出することも考えられる。
【００３７】
しかし、この手法の場合、クロック信号の接続配線とは別に、周期信号用の接続配線等の構成要素が必要となってしまい、構成が複雑となるおそれがある。また、ＳＬＩＣ２０の数が多くなればなるだけ、周期信号用の接続配線数も多くなり、より複雑な構成となり得る。
【００３８】
そこで、この実施形態では、同期制御部１３Ａ（１３Ｓ）が、複数のＳＬＩＣ２０−１〜２０−Ｎに送出しているクロック信号に周期信号を重畳させるようにしている。これにより、複雑な構成を新たに設けることなく、複数のＳＬＩＣ２０−１〜２０−Ｎの間で、ｍａｋｅ生成開始タイミングを合わせることができる。
【００３９】
さらに、ＡＣＴ系の同期制御部１３Ａは、ＳＢＹ系の同期制御部１３Ｓと接続しており、系の切替があった場合でも、迅速に運用を継続するために、セッション情報（呼制御情報）を、ＳＢＹ系の同期制御部１３Ｓに送信する。なお、呼制御情報は、１つの呼に対応する情報であり、既存のＶｏＩＰゲートウェイ装置が知り得る情報と同一又は対応する情報とすることができる。より具体的に、例えば、呼制御情報は、呼単位に振られる呼識別情報、発呼加入者番号、着呼加入者番号、呼ステータス、通話開始時刻、通話終了時刻、音声圧縮方式、課金情報等を含む情報とすることができる。
【００４０】
同期制御部１３Ａ（１３Ｓ）は、他の音声通信制御部との間で冗長に係る処理を行なう冗長制御部１３２を有する。ＡＣＴ系とＳＢＹ系の冗長制御部１３２は、ＡＣＴ系からＳＢＹ系に呼制御情報を送信するため、交絡レベル線で接続している。そして、冗長制御部１３２は、ＡＣＴ系で保持する呼制御情報をコピー（複製）し、交絡レベル線を通じて、コピーした呼制御情報を長期コピー用信号（例えば、２０秒長の信号）としてＳＢＹ系の冗長制御部１３２に送信している。
【００４１】
ここで、系が切り替わった場合でも、複数のＳＬＩＣ２０−１〜２０−Ｎの間で、呼出信号の３相制御の開始タイミングを同期することができるようにするため、ＡＣＫ系の同期制御部１３Ａは、長期コピー用信号に、３秒間隔の周期信号を重畳させた信号を、ＳＢＹ系の同期制御部１３Ｓに送信する。
【００４２】
このように、同期制御部１３Ａが、長期コピー用信号に周期信号を重畳させた信号を、同期制御部１３Ｓに送信することで、ＡＣＴ系とＳＢＹ系との間で、周期信号の発生タイミングを同期させることができる。つまり、ＡＣＴ系とＳＢＹ系との間で、周期信号の発生タイミングが同期しているため、系切替があった場合でも、複数のＳＬＩＣ２０−１〜２０−Ｎに対して３相制御の開始タイミングを同期させることができる。
【００４３】
ＳＬＩＣ２０−１〜２０−Ｎは、複数の加入者回線と接続しており、加入者側の電話端末２との間の処理を制御する加入者回線制御手段である。
【００４４】
図１に示すように、各ＳＬＩＣ２０−１〜２０−Ｎは、同期制御部２１、切替制御部２２、複数の切替部（スイッチ部）２３を有する。
【００４５】
同期制御部２１は、例えば、ＦＰＧＡ（Ｆｉｅｌｄ−Ｐｒｏｇｒａｍｍａｂｌｅ  Ｇａｔｅ  Ａｒｒａｙ）等の回路からなる。同期制御部２１は、ＡＣＴ系、ＳＢＹ系の同期制御部１３Ａ、１３Ｓと接続しており、同期制御部１３Ａ（１３Ｓ）からのクロック信号に基づいて同期処理を行ない、ＳＬＩＣ２０の動作を司る。
【００４６】
また、同期制御部２１は、クロック信号に重畳されている周期信号を検出する周期信号検出部２１１と、周期信号検出部２１１により検出されたタイミングで、切替制御部２２に対してｍａｋｅ生成開始処理を割り込み指示する割り込み指示部２１２とを有する。
【００４７】
割り込み指示部２１２は、例えばＭＤＩＯ（Ｍａｎａｇｅｍｅｔ  Ｄａｔａ  Ｉｎｐｕｔ／Ｏｕｔｐｕｔ）等のインタフェースを適用でき、ファームウェアとしての切替制御部２２に対して割り込み処理を行なう。より具体的には、周期信号検出部２１１による周期信号検出タイミングが、ｍａｋｅ生成開始タイミングとなるようにデータ（ｍａｋｅ生成開始指示）を、切替制御部２２に出力する。
【００４８】
切替制御部２２は、ＳＬＩＣ２０に搭載されるファームウェアとして切替部２３の切替処理を行なう。上述したように、着信があると、制御部３０はＳＬＩＣ２０に対して呼出信号送出指示を出力する。この呼出信号送出指示を受けた切替制御部２２は、指示された着信先に呼出信号を送出するため、当該着信先と接続する切替部２３の切替制御を行なう。また、切替制御部２２は、３相制御により、呼出信号の生成を行なっている。
【００４９】
ここで、呼出信号は、着信時に着信先の電話端末２に着信を伝える信号であり、１秒間の鳴動期間と２秒間の鳴動停止期間とを１周期とする周波数信号である。
【００５０】
なお、切替制御部２２は、例えば、電話端末２の識別情報（例えば電話番号）と、切替部２３の識別情報とを対応付けたテーブルを有しており、呼出信号送出指示で指示された着信先の電話番号に基づいて、着信先の電話端末２と接続する切替部２３を特定できる。
【００５１】
切替制御部２２は、呼出信号を周期的に連続して、電話端末２に送出するため、切替部２３のＯＮ／ＯＦＦ切替を行なう。つまり、リンガ信号出力部１１Ａ（１１Ｓ）は各切替部２３と繋がっており、所定の電力が、リンガ信号出力部１１Ａ（１１Ｓ）から各切替部２３に供給されている。そのため、切替制御部２２は、着信先に対応する切替部２３のＯＮ／ＯＦＦ制御を行なうことで、呼出信号を加入者回線５（着信先の電話端末２）に送出する。
【００５２】
図５は、切替制御部２２が、３相制御による呼出信号のｍａｋｅ生成開始タイミングを示すタイミングチャートである。図５に示す四角は、第１相、第２相、第３相のそれぞれのパタンにおける、呼出信号のｍａｋｅを示している。
【００５３】
図５に示すように、切替制御部２２は、同期制御部２１の割り込み指示部２１２からｍａｋｅ生成開始指示が割り込まれたタイミングで、第１相〜第３相のうち第１相目のパタンのｍａｋｅ生成を行なう。
【００５４】
つまり、従来、複数のＳＬＩＣ２０−１〜２０−Ｎのそれぞれにおいて、３相制御している切替制御部２２が、３つのパタンのうち、第１相目のパタンのｍａｋｅ生成開始タイミングがずれているため、複数のＳＬＩＣ２０−１〜２０−Ｎの間で、ｍａｋｅが輻輳してしまうという問題が生じていた。
【００５５】
そこで、この実施形態では、図５に示すように、割り込み指示部２１２からのｍａｋｅ生成開始指示が割り込まれたタイミングで、切替制御部２２は第１相目のｍａｋｅ生成を開始する。
【００５６】
上記割り込み指示部２１２の割り込みタイミングは、クロック信号に重畳されている周期信号に由来するものである。従って、複数のＳＬＩＣ２０−１〜２０−Ｎの間で、３つのパタンのうちの第１相目のｍａｋｅ生成開始タイミングを同期（同調）できるので、複数のＳＬＩＣ２０−１〜２０−Ｎの間で、ｍａｋｅが輻輳してしまうことを回避できる。
【００５７】
なお、割り込み指示部２１２からｍａｋｅ生成開始指示が割り込まれたタイミングで、切替制御部２２は、第１相目のパタンのｍａｋｅ生成を行ない、その後１秒毎に、第２相目のパタン、第３相目のパタンに更新していく。そして、再度、ｍａｋｅ生成開始指示が割り込まれると、そのタイミングで、切替制御部２２は第１相目のパタンのｍａｋｅを生成する。その後も同様にして、切替制御部２２は上記３つのパタンの設定を更新していく。
【００５８】
また、切替制御部２２は、割り込み指示部２１２からの割り込みタイミングに基づいて３つのパタンを更新していき、制御部３０から呼出信号送出指示が通知されると、その時点でのパタンで、切替制御部２２は呼出信号のｍａｋｅを生成する。
【００５９】
（Ａ−２）実施形態の動作
次に、この実施形態の音声通信制御部１０Ａにおける同期制御処理を説明する。
【００６０】
図６は、実施形態の音声通信制御部１０Ａにおける同期制御処理を示すシーケンス図である。なお、図６では、ＳＬＩＣ２０−１〜２０−Ｎのうち２台のＳＬＩＣを例示しており、これらをＳＬＩＣ＃０、ＳＬＩＣ＃１と示している。
【００６１】
ＡＣＴ系の音声通信制御部１０Ａの同期制御部１３Ａでは、複数のＳＬＩＣ２０−１〜２０−Ｎとの間で同期を取るために、クロック信号（例えば、８ｋＨｚ）を複数のＳＬＩＣ２０−１〜２０−Ｎに送出している。
【００６２】
このとき、同期制御部１３Ａでは、周期信号発生部１３１が、例えば３秒間隔の周期信号を発生しており、クロック信号に周期信号を重畳させた信号を、複数のＳＬＩＣ２０−１〜２０−Ｎに送出する（Ｓ１）。
【００６３】
また、ＡＣＴ系の音声通信制御部１０Ａでは、セッション情報としての呼制御情報を複製し、同期制御部１３Ａが、そのコピーした呼制御情報を長期コピー用信号としてＳＢＹ系の音声通信制御部１０Ｓに与える。このとき、同期制御部１３Ａは、長期コピー用信号に周期信号を重畳させた信号を、ＳＢＹ系の同期制御部１３Ｓに送出する（Ｓ２）。
【００６４】
各ＳＬＩＣ２０−１〜２０−Ｎには、同期制御部１３Ａから、周期信号が重畳されたクロック信号が与えられる。例えば、図６に示すように、ＳＬＩＣ＃０、ＳＬＩＣ＃１のそれぞれの同期制御部２１では、周期信号検出部２１１が、取得したクロック信号に重畳されている周期信号を検出し（Ｓ３）、周期信号の検出タイミングで、割り込み指示部２１２がｍａｋｅ生成開始指示を割り込みにより、切替制御部２２に指令を出す（Ｓ４）。
【００６５】
ＳＬＩＣ＃０、ＳＬＩＣ＃１のそれぞれの切替制御部２２では、ｍａｋｅ生成開始指示の割り込まれたタイミングで、第１相目のｍａｋｅ生成を開始する（Ｓ５）。これにより、ＳＬＩＣ＃０、ＳＬＩＣ＃１のそれぞれにおけるｍａｋｅ生成開始タイミングを同期させることができる。
【００６６】
その後、ＳＬＩＣ＃０、ＳＬＩＣ＃１のそれぞれでは、第１相目のｍａｋｅ生成開始後、１秒が経過すると、第２相目のｍａｋｅ生成が行なわれ（Ｓ６）、更に第２相目のｍａｋｅ生成開始後、１秒が経過すると、第３相目のｍａｋｅ生成が行なわれる（Ｓ７）。これ以降は、Ｓ３〜Ｓ７の処理が繰り返し行われる。
【００６７】
なお、ＳＬＩＣ＃０、ＳＬＩＣ＃１では、３つのパタンのうち、第１相目のｍａｋｅ生成開始タイミングが同期しており、その後、１秒毎にパタンを更新する３相制御をしている。
【００６８】
従って、着信があった場合、着信先のＳＬＩＣ２０では、制御部３０からの呼出信号送出指示を受けた時点のパタンで、切替制御部２２は、ｍａｋｅ、ｂｒｅａｋを行ない、呼出信号を着信先に送出できる。
【００６９】
一方、ＳＢＹ系の音声通信制御部１０Ｓにおいて、ＡＣＴ系の同期制御部１３Ａから、周期信号が重畳された長期コピー用信号が与えられると、同期制御部２１Ｓは、長期コピー用信号に重畳されている周期信号を検出し（Ｓ８）、周期信号の発生タイミングの同期を行なう（Ｓ９）。
【００７０】
これにより、系が切り替わった場合でも（すなわち、現在のＳＢＹ系が新ＡＣＴ系に切り替わっても）、周期信号の発生タイミングが同期しているため、各ＳＬＩＣ２０−１〜２０−Ｎの間で、呼出信号のｍａｋｅ生成開始タイミングを同期させることができる。
【００７１】
（Ａ−３）実施形態の効果
以上のように、この実施形態によれば、共通の音声通信制御部（ＶｏＩＰ制御部）からの信号で割り込みを発生させることで、全てのＳＬＩＣの間で、ｍａｋｅ生成開始タイミングを一致させることができる。その結果、それぞれ異なるＳＬＩＣでも、呼出信号のｍａｋｅタイミングの輻輳をなくすことができる。
【００７２】
また、ＡＣＴ系の音声通信制御部が故障した際、旧ＳＢＹ系が新ＡＣＴ系となるが、ＳＢＹ系においても周期信号の発生タイミングが同期しているため、新ＡＣＴ系からも全てのＳＬＩＣに周期信号を送出することができる。その結果、系切替後も、継続して、全てのＳＬＩＣの間で、ｍａｋｅ生成開始タイミングを一致させることができる。
【００７３】
（Ｂ）他の実施形態
上述した実施形態においても種々の実施形態を言及したが、本発明は、以下の変形実施形態にも適用できる。
【００７４】
（Ｂ−１）上述した実施形態では、冗長構成をとるゲートウェイ装置に適用する場合を例示したが、音声通信制御部が複数のＳＬＩＣを利用するものであれば、冗長構成に限定されるものではない。すなわち、複数のＳＬＩＣの間で、ｍａｋｅ生成開始タイミングを同期させるために、音声通信制御部が、周期信号を重畳させたクロック信号を、各ＳＬＩＣに送出することは、冗長構成に限定されるものではない。
【００７５】
（Ｂ−２）複数のＳＬＩＣのうち一部のＳＬＩＣを交換（変更）したり、若しくは、新たにＳＬＩＣを追加したりするような場合がある。このような場合でも、交換若しくは追加するＳＬＩＣのセット時には、ＡＣＴ系、ＳＢＹ系の音声通信制御部からのクロック信号を取得できるように接続される。従って、ＳＬＩＣの交換若しくは追加の際においても、その交換若しくは追加されたＳＬＩＣについても、ｍａｋｅ生成開始タイミングを同期させることができる。つまり、ＳＬＩＣの交換若しくは追加の際にも、本発明は有効である。
【００７６】
（Ｂ−３）上述した実施形態では、ＡＣＴ系の音声通信制御部とＳＢＹ系の音声通信制御部を備える冗長構成を備えるシステムを例示したが、ＳＢＹ系の音声通信制御部数は、２台以上であってもよい。
【００７７】
（Ｂ−４）上述した実施形態では、複数のＳＬＩＣの間で、呼出信号の３相制御におけるｍａｋｅ生成開始タイミングを同期させる場合を例示した。しかし、複数のＳＬＩＣは、加入者線信号方式で使用される他の加入者線信号の生成開始タイミングを同期させるようにしてもよい。
【符号の説明】
【００７８】
１…通信システム、３０…制御部、１０Ａ及び１０Ｓ…ＶｏＩＰゲートウェイ装置（音声通信制御部）、２０−１〜２０−Ｎ…加入者回線制御部（ＳＬＩＣ）、１１Ａ及び１１Ｓ…リンガ信号出力部、１２Ａ及び１２Ｓ…信号処理部、１３Ａ及び１３Ｓ…同期制御部、１３１…周期信号発生部、１３２…冗長制御部、２１…同期制御部、２１１…周期信号検出部、２１２…割り込み指示部、２２…切替制御部、２３…切替部。
【図１】
2018207179.tif 000003
【図２】
2018207179.tif 000004
【図３】
2018207179.tif 000005
【図４】
2018207179.tif 000006
【図５】
2018207179.tif 000007
【図６】
2018207179.tif 000008